(57)【特許請求の範囲】
【請求項１】
停止中の三相送電線について各相識別と接地又は断線の有無を検査するため前記送電線で接続されて離隔した二地点にそれぞれ設置される検相器であって、
（Ａ）常時は３つのＤＣ電圧検出回路（８ａ〜８ｃ）の入力側にそれぞれ接続された三相送電線（３）の各線（３Ｒ，３Ｗ，３Ｂ）を、起動ボタン（２３）の操作により、所定の時間を空けて、所定の順番に、ＤＣ電圧検出回路（８ａ〜８ｃ）から電池（１１）の正極に一時的に切替え接続すると共に、常時は前記電池（１１）の負極に接続された接地線（１３）を、前記三相送電線（３）の各線（３Ｒ，３Ｗ，３Ｂ）の前記電池（１１）の正極に対する一時的接続と同期して、前記電池（１１）の負極から、前記三相送電線（３）と切離された前記ＤＣ電圧検出回路（８ａ〜８ｃ）の入力側に一時的に切替え接続する制御リレー（１０ａ〜１０ｃ）と、
（Ｂ）前記３つのＤＣ電圧検出回路（８ａ〜８ｃ）の入力側と前記電池（１１）の負極との間に並列に配設された検出抵抗（３９）及びコンデンサ（３８）と、
（Ｃ）前記３つのＤＣ電圧検出回路（８ａ〜８ｃ）の出力側に接続され、前記三相送電線（３）を電池（１１）の正極に接続しているときに電圧を検出した前記ＤＣ電圧検出回路（８ａ〜８ｃ）に対応する表示部（２５）の自分側ランプを点灯させると共に、前記接地線（１３）を前記電池（１１）の負極に接続しているときに電圧を検出した前記ＤＣ電圧検出回路（８ａ〜８ｃ）に対応する表示部（２５）の相手側ランプを点灯させ、かつ、前記起動ボタン（２３）が操作されない状態で前記３つのＤＣ電圧検出回路（８ａ〜８ｃ）のいずれかが電圧を検出したときにも、前記制御リレー（１０ａ〜１０ｃ）が前記切替え接続を行うように制御するコントロールユニット（３７）とを具備したことを特徴とする検相器。
【請求項２】
三相送電線（３）の各線（３Ｒ，３Ｗ，３Ｂ）に、抵抗（５）、コンデンサ（６）及び接地線（１３）を順に接続し、抵抗（５）とコンデンサ（６）の間に前記電圧検出回路（８ａ〜８ｃ）の入力側を接続し、かつ、前記抵抗（５）とコンデンサ（６）の大きさを誘導電流や誘導電圧の効果的低減に適するように設定したことを特徴とする請求項１記載の検相器。
【発明の詳細な説明】
【０００１】
【発明の属する技術分野】
本発明は検相器に関し、送電線で接続されて遠方に離隔した二地点、例えば、変電所と送電鉄塔との間に架設された停止中の三相送電線などについて、各相識別と接地又は断線の有無を検査するための検相器に関する。
【０００２】
【従来の技術】
変電所と送電鉄塔との間に架設された三相送電線について、各相線間及び対地間の絶縁抵抗測定と各相識別（検相）を行う作業が定期的又は工事終了後などに実施されている。この作業は、検相対象となる変電所と送電鉄塔との間で三相送電線を停止し、その停止中の三相送電線について行われる。
【０００３】
従来は、送電線の各相について対地間の絶縁抵抗を測定した上で各相識別を行うためにメガリングフィルタを使用していた。尚、変電所と送電鉄塔間には並行２回線の三相送電線を架設しているのが一般的であり、この並行２回線の三相送電線では、１回線を停止させている時でも他回線が充電状態であれば、他回線からの誘導電圧が停止中の送電線に発生するため、その停止中の三相送電線の絶縁抵抗をメガ測定器により直接的に測定することができない。
【０００４】
前述のメガリングフィルタは、誘導電圧に耐える高耐圧のフィルタであり、停止中の三相送電線に誘導電圧が発生しても、その誘導電圧を減衰させて三相送電線の絶縁抵抗測定を可能にする。このメガリングフィルタは、３段のＬ形フィルタを含む回路及びメガ接続端子からなる構成要素を格納した収納箱及び絶縁棒で構成され、その絶縁棒の先端部にフック、基端部にアースクリップをそれぞれ有する。
【０００５】
このメガリングフィルタを用いた作業では、まず、絶縁棒の基端部にあるアースクリップを接地した状態で、その絶縁棒の先端部にあるフックを測定対象の送電線に引掛け係止する。一方、収納箱に設けられたメガ接続端子にメガ測定器を接続すれば、そのメガ測定器により送電線の絶縁抵抗を測定することができる。即ち、メガリングフィルタによりＡＣの誘導電圧を除き、ＤＣ電圧を対地間に加圧してその時に流れるＤＣ電流を検出して絶縁抵抗を測定している。尚、メガリングフィルタの内部抵抗は２ＭΩに調整されているので、メガ測定器による測定値から２ＭΩを差し引けば、それが送電線の絶縁抵抗値となる。
【０００６】
この送電線の各相識別は、次の要領でもって行われる。まず、停止中の三相送電線について、変電所又は送電鉄塔のいずれか一地点で送電線を各相一線ずつ接地し、その他地点で送電線の各相について対地間絶縁抵抗を前述のメガリングフィルタ及びメガ測定器を利用して測定する。その他地点での送電線の絶縁抵抗が０Ωであれば、変電所と送電鉄塔の二地点での送電線が同相（接地相）であると判定することができ、これを各相について判定することにより各相識別が可能となる。
【０００７】
【発明が解決しようとする課題】
ところで、前述した従来の各相識別では、変電所又は送電鉄塔のいずれか一方の地点からのみの検相であり、また、変電所と送電鉄塔とは何ｋｍ、何十ｋｍとかなり遠方に離隔した地点にあるため、一地点で送電線を一線ずつ接地する作業者と、他地点でメガリングフィルタ及びメガ測定器により検相する作業者は、例えば無線機や電話機などにより接地する相と測定する相を互いに確認する手順が欠かせない。このため、双方の作業者にとって同相か否かの確実性を実感しにくく、ともすると意思疎通に不都合を来たしてミスが発生する要因があった。
【０００８】
また、例えば送電鉄塔でメガリングフィルタにより検相する作業では、高所での絶縁棒の付け替え作業等が必要であり、不要な高圧箇所へ接触する危険性があり、労力と時間を要して作業性が非常に悪いという問題もあった。
【０００９】
そこで、本発明は前述の問題点に鑑みて提案されたもので、その目的とするところは、遠方に離隔した二地点であっても送電線の各相識別を簡単に行え、迅速かつ確実な各相識別を実現でき、また、メガリングフィルタを使用する必要がなく、安全性に富んだ検相作業が可能で労力の軽減と時間短縮を実現することにある。
【００１０】
【課題を解決するための手段】
前述の目的を達成するための技術的手段として、本発明は、停止中の三相送電線について各相識別と接地又は断線の有無を検査するため前記送電線で接続されて離隔した二地点にそれぞれ設置される検相器であって、
（Ａ）常時は３つのＤＣ電圧検出回路（８ａ〜８ｃ）の入力側にそれぞれ接続された三相送電線（３）の各線（３Ｒ，３Ｗ，３Ｂ）を、起動ボタン（２３）の操作により、所定の時間を空けて、所定の順番に、ＤＣ電圧検出回路（８ａ〜８ｃ）から電池（１１）の正極に一時的に切替え接続すると共に、常時は前記電池（１１）の負極に接続された接地線（１３）を、前記三相送電線（３）の各線（３Ｒ，３Ｗ，３Ｂ）の前記電池（１１）の正極に対する一時的接続と同期して、前記電池（１１）の負極から、前記三相送電線（３）と切離された前記ＤＣ電圧検出回路（８ａ〜８ｃ）の入力側に一時的に切替え接続する制御リレー（１０ａ〜１０ｃ）と、
（Ｂ）前記３つのＤＣ電圧検出回路（８ａ〜８ｃ）の入力側と前記電池（１１）の負極との間に並列に配設された検出抵抗（３９）及びコンデンサ（３８）と、
（Ｃ）前記３つのＤＣ電圧検出回路（８ａ〜８ｃ）の出力側に接続され、前記三相送電線（３）を電池（１１）の正極に接続しているときに電圧を検出した前記ＤＣ電圧検出回路（８ａ〜８ｃ）に対応する表示部（２５）の自分側ランプを点灯させると共に、前記接地線（１３）を前記電池（１１）の負極に接続しているときに電圧を検出した前記ＤＣ電圧検出回路（８ａ〜８ｃ）に対応する表示部（２５）の相手側ランプを点灯させ、かつ、前記起動ボタン（２３）が操作されない状態で前記３つのＤＣ電圧検出回路（８ａ〜８ｃ）のいずれかが電圧を検出したときにも、前記制御リレー（１０ａ〜１０ｃ）が前記切替え接続を行うように制御するコントロールユニット（３７）とを具備したことを特徴とする。
【００１１】
【発明の実施の形態】
本発明に係る検相器の実施形態を以下に詳述する。
【００１２】
本発明の検相器Ａ，Ｂは、図２に示すように変電所１と送電鉄塔２との間に架設された三相送電線３（赤相、白相、青相の送電線３Ｒ，３Ｗ，３Ｂ）について絶縁抵抗測定と各相識別を行うもので、変電所１と送電鉄塔２の二地点にそれぞれ設置される。
【００１３】
検相器Ｂが設置される送電鉄塔２は、検相器Ａが設置される変電所１から遠方に離隔し、両地点は何本もの送電鉄塔を介して送電線で接続されている。この検相器Ａ，Ｂによる検相作業は、検相対象となる変電所１と送電鉄塔２との間で三相送電線３の送電を停止し、その停止中の三相送電線３について行われる。
【００１４】
この検相作業は、前述の変電所と送電鉄塔との二地点だけでなく、変電所と変電所、或いは送電鉄塔と送電鉄塔の二地点でも行われ、また、変電所構内の二地点でも三相送電線以外の他の線路を対象とすることがある。
【００１５】
尚、変電所１と送電鉄塔２間には並行２回線の三相送電線３，４を架設しているのが一般的であり、この並行２回線の三相送電線３，４では、１回線の三相送電線３を停止させている時でも他回線の三相送電線４が充電状態であれば、他回線の三相送電線４からの誘導電圧が停止中の三相送電線３に発生するため、その停止中の三相送電線３の絶縁抵抗をメガ測定器により直接的に測定することができない。
【００１６】
そこで、本発明の検相器Ａ，Ｂを図３に示すような回路で構成する。尚、図２は三相送電線３のうちの一相の送電線３（赤相、白相又は青相の送電線３Ｒ，３Ｗ，３Ｂ）について、変電所１と送電鉄塔２の両所に設置された検相器Ａ，Ｂを示し、これに基づいて、本発明による検相原理を以下に説明する。他の相の送電線についても同様である。
【００１７】
変電所１と送電鉄塔２の二地点に設置された検相器Ａ，Ｂは、通電中の他回線の三相送電線４からの電磁誘導及び静電誘導により停止中の三相送電線３に発生する誘導電圧を、低インピーダンスの抵抗５（電磁誘導対策）及びコンデンサ６（静電誘導対策）で接地することにより低圧として以下の検相動作を実行する。
【００１８】
尚、送電線３に検相器Ａ，Ｂを接続するためのフックを接触させた時、誘導電圧により容量性の過渡的ピーク値の高い電流が流れるため、抵抗５を挿入することによりその電流を抑えて接触火花の低減、コンデンサ６の保護を行う。また、他回線の送電線４に流れる電流による電磁誘導電流を低減させるため、前述の抵抗５を直列に挿入する必要がある。
【００１９】
このように誘導電圧を低インピーダンスの抵抗５及びコンデンサ６による接地でもって低圧として検相動作を実行することにより、検相器Ａ，Ｂの内部回路での信号処理が容易になり、内部回路を構成する部品の小型化が図れて検出器本体の軽量コンパクト化を実現できる。
【００２０】
本発明の検相器Ａ，Ｂは、具体的には図１の回路構成を具備する。この回路構成は複雑なので、これを単純化した図３に基づき検相器Ａ，Ｂの概略をまず説明する。実際の検相器Ａ，Ｂは３本の三相送電線３にリレー接点７ａの切替により選択的に接続される３つのＤＣ電圧検出回路８を具備するが、図３では単純化のため１本の送電線３に対して検相器Ａ，Ｂの各１つのＤＣ電圧検出回路８を図示する。
【００２１】
この図３において、送電線３とリレー接点７ａとの間には、抵抗５とチョークコイル３１（例えば３０Ｈ）が配設されている。抵抗５とチョークコイル３１との間には、コンデンサ６を介して接地線１３が接続されている。検相器Ａ，Ｂはリレー接点７ａの他にリレー接点７ｂを有し、一方のリレー接点７ａがＤＣ電圧検出回路８と信号用電池１１の正極とを切替え、他方のリレー接点７ｂがＤＣ電圧検出回路８と信号用電池１１の負極とを切替えるようになっていて、いずれか一方のリレー接点７ａ又は７ｂが必ず信号用電池１１の正極又は負極に接続されるように、また、いずれか一方のリレー接点７ａ又は７ｂが必ずＤＣ電圧検出回路８に接続されるように、リレー接点７ａ，７ｂを制御する制御リレー１０が、コントロールユニット３７で制御される。
【００２２】
コントロールユニット３７は互いに接続されたリレーコントローラ３７ａと表示コントローラ３７ｂとからなり、表示コントローラ３７ｂがＤＣ電圧検出回路８と接続されている。そしてＤＣ電圧検出回路８が電圧を検出すると、表示コントローラ３７ｂ及びリレーコントローラ３７ａを介して、制御リレー１０をして２つのリレー接点７ａ，７ｂを典型的には１秒以下のごく短い間だけ一時的に反対側接点（白丸接点）に切替え、その後すぐにまた元の接点（黒丸接点）に切替えるように構成されている。また、リレーコントローラ３７ａは起動ボタン２４と接続され、起動ボタン２４の操作により、前述と同様、制御リレー１０をして、２つのリレー接点７ａ，７ｂを典型的には１秒以下のごく短い間だけ一時的に反対側接点（白丸接点）に切替え、その後すぐにまた元の接点（黒丸接点）に切替えるように構成されている。ＤＣ電圧検出回路８とリレー接点７ａとの間には、並列接続の検出抵抗３９（例えば１ｋΩ）とコンデンサ３８（例えば２２０μＦ）を介して、信号用電池１１の負極とリレー接点７ｂが接続されている。
【００２３】
以上が検相器Ａ，Ｂの概略であって、実際の検相器Ａ，ＢではＤＣ電圧検出回路８が３つであり、それぞれがリレー接点７ａを介して三相送電線３の１本にそれぞれ接続される。リレー接点７ａ，７ｂは各３つで構成され、３つのリレー接点がコントロールユニット３７のリレーコントローラ３７ａによって所定の順番で後述の如く切替えられるようになっている。
【００２４】
次に、検相作業の具体的内容について説明する。検相作業は、まず、変電所１における停止中の送電線３に検相器Ａを接続して設置し、その変電所１から遠方に離隔した場所にある送電鉄塔２における停止中の送電線３に検相器Ｂを接続して設置した状態で検相作業を開始する。
【００２５】
検相器ＡとＢのいずれを起動させても検相作業を行なうことができるが、ここでは検相器Ｂから起動させる場合について説明する。検相器ＡとＢのリレー接点７ａは、起動前は共にＤＣ電圧検出回路８側に切替わっていて、検相器ＡとＢのリレー接点７ｂは共に信号用電池１１の負極側に切替わっている。起動ボタン２４を押して検相器Ｂを起動させると、その検相器Ｂのリレー接点７ａが信号用電池１１の正極側に一時的に切替えられる。この時、通電中の他の送電線４から停止中の送電線３に誘導電圧が発生した場合であっても、その誘導電圧を前述の抵抗５及びコンデンサ６による接地でもって低圧とし、その低い誘導電圧のある送電線３の各相に信号用電池１１の直流電流を伝送信号として送出する。その伝送信号は検相器Ａ側の抵抗５、チョークコイル３１、リレー接点７ａ、検出抵抗３９、リレー接点７ｂ及び接地線１３を通ってアースへ戻るが、検出抵抗３９で発生した電圧で検相器ＡのＤＣ電圧検出回路８を動作させる。検相器Ａ側の接地線１３からアースに戻った伝送信号は、もとの検相器Ｂの接地線１３からリレー接点７ｂ（白丸接点）と検出抵抗３９を通って信号用電池１１の負極に戻り、この際検出抵抗３９で発生した電圧で検相器ＢのＤＣ電圧検出回路８が作動する。
【００２６】
これで検相器Ａ，ＢのＤＣ電圧検出回路８が共に電圧を検出したことになるが、その後、検相器ＡではＤＣ電圧検出回路８が電圧を検出したことに基づいてコントロールユニット３７が作動し、検相器Ａのリレー接点７ａ，７ｂを図３の状態から反対側に切替え、今度は検相器Ａの方から前述したのと同様に信号用電池１１から伝送信号を送電線３に送出する。この時、検相器Ｂでは既にリレー接点７ａ，７ｂが元通りになっており（黒丸接点に復帰）、検相器Ｂからの最初の伝送信号の送出により検相器Ａ側で起こった作動と同じ作動が検相器Ｂで起こる。ただし、起動側の検相器ＢではＤＣ電圧検出回路８の電圧検出によりリレー接点７ａ，７ｂの切替えをするのではなく、あくまでもコントロールユニット３７のリレーコントローラ３７ａに記憶されている切替え順序と切替えタイミングに従ってリレー接点７ａ，７ｂを切替える。
【００２７】
図３では送電線３が１本で同相であり、また断線もないため、検相器Ａ，ＢはＤＣ電圧検出回路８で共に電圧を検出するが、検相器Ｂを起動させた時、いずれのＤＣ電圧検出回路８も動作しない場合には、変電所１と送電鉄塔２の二地点での送電線３が断線していると判定することができる。また、送電線３が実際のように３本の場合は、後述の如く送電線３に対するアースフック線１２の掛け間違いにより異相と判定される場合もある。
【００２８】
更に、検相器Ｂを起動させた時、検相器Ｂ側のＤＣ電圧検出回路８は動作するが、伝送信号による返答信号がなくて検相器Ａ側のＤＣ電圧検出回路８が動作しない場合には、変電所１と送電鉄塔２との間で送電線３が接地されていると判定することができる。
【００２９】
このように２つの検相器Ａ，ＢのＤＣ電圧検出回路８により、送電鉄塔２から変電所１への伝送信号の送信及び変電所１での伝送信号の受信、伝送信号の受信に基づく変電所１から送電鉄塔２への返答信号の送信及び送電鉄塔２での返答信号の受信を、所定の時間間隔で、かつ、各相について所定の順序で実行する所謂アンサーバックにより、変電所１と送電鉄塔２の二地点で送電線３の各相識別だけでなく、断線及び接地もチェックすることができる（詳細は後述）。
【００３０】
検相器Ａ，Ｂは、実際は図４に示すように送電線３の各相に対してアースフック線１２で接続され、さらに接地線１３により接地される。アースフック線１２は例えば、赤色、白色、青色のように色で区別されており、三相送電線３のどの相に接続すべきかが一目で分かるようになっている。アースフック線１２を三相送電線３の所定の層に接続すると共に接地を確保した状態で一方の検相器Ｂを起動すると、所定の順序（例えば、赤、白、青相の順序）で前述した伝送信号の送信が実行され、また、他方の検相器Ａでは、検相器Ｂの起動による伝送信号を受けて、検相器Ｂと同じ所定の順序（例えば、赤、白、青相の順序）で返答信号の送信が実行され、これら信号は離隔した検相器Ａ，Ｂでそれぞれ受信される。また、それら送信と受信とが一定の時間間隔（例えば１．５秒）でもって実行される。そして、両方の検相器Ａ，Ｂでは、送電線３の各相についてその検相結果を後述するようにランプ及びブザー等で表示する。
【００３１】
次に、変電所１と送電鉄塔２との間に架設された三相送電線３について検相作業を行うための検相器Ａ，Ｂの具体的形態を以下に詳述する。
【００３２】
図５（ａ）（ｂ）は本発明の検相器Ａ，Ｂの外観を示す。この検相器Ａ，Ｂは、同図に示すように後述する構成回路部品が内蔵されたハウジング１４に背負いベルト１５を取り付けた構造とすることにより、作業者が送電鉄塔２に登る際に背中に装備することを容易としている。また、ハウジング１４の前面には蓋体１６が開閉自在に設けられ、その蓋体１６を開いた前面パネル１７には、図６に示すように直接地スイッチ１８、機能選択スイッチ１９、メガ相選択スイッチ２０、メガ測定選択スイッチ２１、表示ランプ群２２と起動ボタン２３とブザー２４とからなる表示部２５、メガ接続端子２６が配設されている。更に、ハウジング１４の端面には把手２７が設けられると共に、三相送電線３に接続するためのアースフック線１２を接続する赤、白、青相の各端子２８Ｒ，２８Ｗ，２８Ｂと、接地線１３を接続するためのＥ端子２９とが設けられている。
【００３３】
前述のハウジング１４内に収納された構成回路は図１に示す通りであり、二つの検相器Ａ，Ｂは、全く同一の回路構成を有する。
【００３４】
図１に示すように三相送電線３が接続される赤、白、青相の各端子２８Ｒ，２８Ｗ，２８Ｂと接地線１３が接続されるＥ端子２９との間に直接地スイッチ１８の接点部３０が介挿されている。この三相送電線３が接続される赤、白、青相の各端子２８Ｒ，２８Ｗ，２８Ｂには、低インピーダンスの抵抗５（例えば２００Ｗ、１００Ω）及びコンデンサ６（例えばＡＣ６００Ｖ、１０μＦ）が接地接続されている。
なお、これら抵抗５とコンデンサ６の大きさをどのくらいにするかは、実際の送電線での誘導電流の測定が欠かせない。本願出願人は、以下のように実際の１１０ｋＶ送電線について種々の区間恒長で誘導電流を測定した。
0003930711.tif 000002
前記誘導電圧の値は計算値である。片側接地電流は区間恒長の片側にだけ検相器を接続して接地した場合の電流であり、両側接地電流は区間恒長の両側に検相器を接続して接地した場合の電流である。なお、短い区間恒長になると、撚架の効果が充分にでないために誘導電圧が高めになる傾向がある。
第１送電線の両側接地電流の最大値は３６２ｍＡであるから、１ｋｍ当りの接地電流は、３６２／９８．１＝３．６９ｍＡ／ｋｍとなる。
区間恒長の最大を、過去の施工例を考慮して例えば３００ｋｍと想定すると、接地電流の最大は、３．６９×３００＝１１００ｍＡ＝１．１Ａ
このときのコンデンサ６の端子電圧は、コンデンサ６の静電容量を１０μＦとした場合、１．１Ａ×１／｛１０（μＦ）×２πｆ｝＝２９２Ｖとなる。
このように、コンデンサの静電容量を１０μＦ程度にすると、コンデンサ６の端子電圧は約３００Ｖとなり、この程度の電圧であれば普通の電子部品でチョークコイル３１以降の回路を構成することができて、検相器自体の大きさ、重量、コストなどの面で都合がよい。
【００３５】
抵抗５には、チョークコイル３１を介して機能選択スイッチ１９の接点部３２が接続され、その接点部３２のメガ接点にはメガ相選択スイッチ２０の接点部３３とメガ測定選択スイッチ２１の接点部３４が接続されている。このメガ測定選択スイッチ２１の接点部３４にはメガ接続端子２６を介してメガ測定器３５が接続可能とされ、また、内部に２ＭΩ抵抗３６が接続されている。
【００３６】
前述の機能選択スイッチ１９の接点部３２の検相接点には、コントロールユニット３７のリレーコントローラ３７ａの出力に基づいて作動する制御リレー１０（図３参照）のリレー接点７ａを介してＤＣ電圧検出回路８が接続され、このＤＣ電圧検出回路８の出力側に前述のコントロールユニット３７の表示コントローラ３７ｂが接続されている。このコントロールユニット３７は、起動ボタン２３による入力信号に基づいて表示部２５において表示ランプ群２２の点灯やブザー２４の発音などを制御する。前述のＤＣ電圧検出回路８には、直流電流を生成するための信号用直流電源である電池１１が接続されている。
【００３７】
以上のような回路構成を有する検相器Ａ，Ｂの操作要領及び検相動作などを以下に詳述する。尚、以下の説明では、▲１▼停止中の三相送電線３への検相器Ａ，Ｂの接続、▲２▼絶縁抵抗測定（メガ測定）、▲３▼絶縁抵抗測定（メガ測定）による検相、▲４▼メガチェック、▲５▼アンサーバックによる自動検相の順で詳述する。
【００３８】
▲１▼停止中の三相送電線３への検相器Ａ，Ｂの接続
まず、停止中の三相送電線３への検相器Ａ，Ｂの接続は次の通りである。変電所１と送電鉄塔２の二地点において、ハウジング１４端面のＥ端子２９に接地線１３を接続すると共に、赤相、白相、青相の各端子２８Ｒ，２８Ｗ，２８Ｂにアースフック線１２を接続し、直接地スイッチ１８の「ＯＮ」を確認した上で、停止中の三相送電線３に前述のアースフック線１２を各相対応させて接続する。尚、以下の説明で、変電所１に設置された検相器Ａを相手側とし、送電鉄塔２に設置された検相器Ｂを自分側とする。
【００３９】
▲２▼絶縁抵抗測定（メガ測定）
まず、検相器Ａ，Ｂによるメガ測定は、メガ接続端子２６に１０００Ｖ／２０００ＭΩのメガ測定器３５を接続した上で次のようにして行われる。直接地スイッチ１８を「ＯＦＦ」、機能選択スイッチ１９を「メガ」、メガ測定選択スイッチ２１を「Ｅ間測定」又は「線間測定」にする。この時、メガ測定器３５の電圧目盛はコンデンサ６の電圧値を指示している。そのままの状態でメガ測定器３５の測定スイッチを押すと、前述のコンデンサ６が充電される時間が経過した後、メガ測定器３５は絶縁抵抗値を指示する。ここで、メガ相選択スイッチ２０を各相に切替えることにより、三相送電線３の接地間又は線間の絶縁抵抗を測定してメガ測定器３５にその絶縁抵抗値を表示させる。
【００４０】
▲３▼絶縁抵抗測定（メガ測定）による検相
また、検相器Ａ，Ｂを用いたメガ測定による検相は次の要領で行われる。まず、相手側の検相器Ａの直接地スイッチ１８を「ＯＦＦ」、機能選択スイッチ１９を「メガ」、メガ測定選択スイッチ２１を「２ＭΩ接地」にする。自分側の検相器Ｂにおいて、メガ相選択スイッチ２０を各相に切替えることにより、送電線３の各相について接地間の絶縁抵抗を測定し、自分側の検相器Ｂで２ＭΩを指示する相と、相手側の検相器Ａで選択された相とが合致していれば、変電所１と送電鉄塔２での送電線３が同相で検相良と判定する。尚、２ＭΩを指示せず、それ以上であれば送電線３の断線と判定し、０Ωであれば送電線３の接地と判定する。
【００４１】
▲４▼メガチェック
更に、検相器Ａ，Ｂによるメガチェックは、メガ測定選択スイッチ２１を「２ＭΩ点検」にした上で、メガ測定器３５の測定スイッチを押すと、そのメガ測定器３５が検相器Ａ，Ｂの内部の２ＭΩ抵抗３６に接続された状態となり、メガ測定器３５がその２ＭΩ抵抗３６を測定することになって２ＭΩを指示するか否かでメガチェックが可能である。
【００４２】
▲５▼アンサーバックによる自動検相
次に、アンサーバックによる自動検相は、例えば赤相、白相、青相の順序で次の要領でもって行われる。すなわち、相手側及び自分側の２台の検相器Ａ，Ｂのうち、先に「起動」ボタン２３を押した一方の検相器から第１、第２及び第３の伝送信号が順番に送出され、他方の検相器が第１〜第３のいずれかの伝送信号を受信すると、他方の検相器から第１、第２及び第３の返答信号が順番に送出される。
【００４３】
図７に、起動側（自分側）の検相器の作動をフローチャートで示す。なお、相手側検相器の作動は、図７のステップＳ１の「起動ボタン２３ＯＮ」を、「いずれかのＤＣ電圧検出回路８ａ〜８ｃの出力有（起動側検相器からの伝送信号受信確認）」と読替えると、ステップＳ２以降はまったく同様である。
図７でステップＳ１で起動ボタン２３が押されると、ステップＳ２で制御リレー１０ａが作動し、図１で赤相送電線３Ｒに接続されたリレー接点７ａ，７ｂが白丸接点に一時的に切替えられる。この状態で、ステップＳ３でＤＣ電圧検出回路８ａ〜８ｃの出力チェックがコントロールユニット３７の表示コントローラ３７ｂにより行われ、断線時を除き通常は電圧を検出するＤＣ電圧検出回路８ａに対応する表示部２５の自分側赤ランプが点灯する。次にステップＳ４で制御リレー１０ａが復帰し、その後、相手側検相器からの返答信号の有無を確認するため、ステップＳ５でＤＣ電圧検出回路８ａ〜８ｃの出力チェックがコントロールユニット３７の表示コントローラ３７ｂで行われる。いずれか１つのＤＣ電圧検出回路８ａ〜８ｃが電圧を検出すれば、当該ＤＣ電圧検出回路に対応する相手側ランプが点灯する。
【００４４】
次に、ステップＳ６で制御リレー１０ｂが作動し、図１で白相送電線３Ｗに接続されたリレー接点７ａ，７ｂが白丸接点に一時的に切替えられる。この状態で前述と同様にステップＳ７でＤＣ電圧検出回路８ａ〜８ｃの出力チェックが行われ、断線時を除き通常は電圧を検出するＤＣ電圧検出回路８ｂに対応する表示部２５の自分側白ランプが点灯する。次に、ステップＳ８で制御リレー１０ｂが復帰し、その後、相手側検相器からの返答信号の有無を確認するため、ステップＳ９でＤＣ電圧検出回路８ａ〜８ｃの出力チェックがコントロールユニット３７の表示コントローラ３７ｂで行われる。いずれか１つのＤＣ電圧検出回路８ａ〜８ｃが電圧を検出すれば、当該ＤＣ電圧検出回路に対応する相手側ランプが点灯する。
【００４５】
次に、ステップＳ１０で制御リレー１０ｃが作動し、図１で青相送電線３Ｂに接続されたリレー接点７ａ，７ｂが白丸接点に一時的に切替えられる。この状態で前述と同様にステップＳ１１でＤＣ電圧検出回路８ａ〜８ｃの出力チェックが行われ、断線時を除き通常は電圧を検出するＤＣ電圧検出回路８ｃに対応する表示部２５の自分側青ランプが点灯する。次に、ステップＳ１２で制御リレー１０ｃが復帰し、その後、相手側検相器からの返答信号の有無を確認するため、ステップＳ１３でＤＣ電圧検出回路８ａ〜８ｃの出力チェックがコントロールユニット３７の表示コントローラ３７ｂで行われる。いずれか１つのＤＣ電圧検出回路８ａ〜８ｃが電圧を検出すれば、当該ＤＣ電圧検出回路に対応する相手側ランプが点灯する。これで検相工程は全て終了する（ステップＳ１４）。
【００４６】
次に、図１の回路に流れる電流と併せて検相工程を説明する。まず、相手側及び自分側の両検相器Ａ，Ｂの直接地スイッチ１８を「ＯＦＦ」、機能選択スイッチ１９を「検相」とする。機能選択スイッチ１９の縦並び４つの接点部３２は、上３つがリレー接点７ａが接続された接点に切替えられ、下１つが限流抵抗４０が接続された接点に切替えられる。この状態で自分側の検相器Ｂの「起動」ボタン２３を押すと、表示部２５において「送信」ランプが点灯し、制御リレー１０ａが動作して図１の３つの斜め横並びリレー接点７ａのうち左端のリレー接点７ａから順番に白丸接点側に一時的に切替えられ（図７のステップＳ２，Ｓ６，Ｓ１０）、電池１１による伝送信号（直流電流）が、限流抵抗４０、前述のリレー接点７ａ、機能選択スイッチ１９の接点部３２、抵抗５を通じて送電線３（３Ｒ，３Ｗ，３Ｂの順）を介して相手側の検相器Ａに伝送信号が送出される。
【００４７】
この時、自分側の検相器Ｂでは、この伝送信号用の直流電流が相手側検相器Ａ（検相器Ａのリレー接点７ａ，７ｂは図１黒丸接点側で変化なし）の検出抵抗３９→接地線１３→自分側検相器Ｂの接地線１３→左端のリレー接点７ｂ（白丸接点側）→検出抵抗３９の順で電池１１の負極に流れることを検出抵抗３９の端子電圧で検出する。この端子電圧が検出されなければ、送電線３が断線していることを判定して表示部２５において「断線」ランプ、「不良」ランプが点灯し〔図８（ａ）参照、尚、図中●は点灯、○は消灯を示す〕、ブザー２４が発音（音大）する。尚、「不良」ランプの点灯及びブザー２４の発音があれば検相動作は一時停止し、「起動」ボタン２３をもう一度押すことにより、「不良」ランプを消灯させると共にブザー２４を消音させ、検相動作を続行させる。
【００４８】
前述した自分側の検相器Ｂから送信された伝送信号を相手側の検相器Ａで受信すると、その受信した相の検出抵抗３９の端子電圧がＤＣ電圧検出回路８で検出され、このＤＣ電圧検出回路８の出力に基づくコントロールユニット３７のリレーコントローラ３７ａの出力で制御リレー１０ａ〜１０ｃが動作し、所定の順序（３Ｒ，３Ｗ，３Ｂの順）で返答信号を送電線３の各相へ送出する。各相の送電線３を介して相手側の検相器Ａから送信されてくる返答信号を自分側の検相器Ｂで受信すると、自分側の検相器Ｂでは、表示部２５においてその相の「相手側」ランプが点灯する。
【００４９】
この時、相手側及び自分側の検相器Ａ，Ｂの表示部２５において、「自分側」ランプと「相手側」ランプとで相が異なっている場合、即ち、「自分側」ランプが赤相であるのに対して、例えば「相手側」ランプが白相となっている場合〔図８（ｂ）参照〕は、送電線３が異相であると判定して「不良」ランプが点灯すると共にブザー２４が発音（音大）する。
【００５０】
また、自分側の検相器Ｂによる伝送信号の送信から一定時間経過しても相手側の検相器Ａからの返答信号がない場合には、自分側の検相器Ｂの表示部２５では、「接地」ランプ及び「不良」ランプが点灯し〔図８（ｃ）参照〕、ブザー２４が発音（音大）する。
【００５１】
自分側の検相器Ｂの表示部２５において、「自分側」ランプと「相手側」ランプとで相が合致している場合、即ち、「自分側」ランプと「相手側」ランプがともに赤相となっている場合は、次の白相の送電線について前述と同様の検相動作を繰り返し、その結果、「自分側」ランプが白相であるのに対して、例えば「相手側」ランプが青相となっている場合〔図８（ｄ）参照〕は、送電線３が異相であると判定して「不良」ランプが点灯すると共にブザー２４が発音（音大）する。そして、白相が合致している場合には、更に次の青相の送電線について同様の検相動作を繰り返し、その青相が合致して三相全てが合致した時点で、三相送電線３の全てが同相であると判定して「良」ランプが点灯する〔図８（ｅ）参照〕と共にブザー２４が発音（音小）する。
【００５２】
このようにメガ測定とそのメガ測定による検相との切替え、及びメガ測定とアンサーバックによる自動検相の切替えは、機能選択スイッチ１９における「メガ」、「検相」及びメガ測定選択スイッチ２１における「Ｅ間測定」又は「線間測定」、「２ＭΩ接地」、「２ＭΩ点検」の選択でもって実行可能である。
【００５３】
【発明の効果】
本発明は前述の如く、三相送電線の各相に対して離隔２地点で接続した２つの検相器の間で、三相送電線の各相に伝送信号を順番に送出し合い、自分側と相手側で三相送電線の各線に対する接続状況をＤＣ電圧検出回路の出力により確認し合うことで検相作業を自動化することができる。
【図面の簡単な説明】
【図１】本発明に係る検相器の実施形態を示す回路図。
【図２】変電所と送電鉄塔間に架設された三相送電線に検相器を接続した状態を示す構成図。
【図３】一相の送電線について変電所と送電鉄塔の両所に接続した検相器の概略構成を示す回路図。
【図４】三相送電線について変電所と送電鉄塔の両所に検相器を接続した状態を示す構成図。
【図５】（ａ）は検相器の外観を示す側面図、（ｂ）は検相器の背面図。
【図６】検相器の前面パネルを示す正面図。
【図７】起動側の検相器の作動を示すフローチャート。
【図８】（ａ）〜（ｅ）は検相器の前面パネルの表示部を検相状態ごとに示す正面図。
【符号の説明】
１   変電所
２   送電鉄塔
３，４    三相送電線
３Ｒ，３Ｗ，３Ｂ    送電線
５   抵抗
６   コンデンサ
７ａ リレー接点
７ｂ リレー接点
８   電圧検出回路
１０ 制御リレー
１１ 信号用電池
１２ アースフック線
１３ 接地線
１４ ハウジング
１５ ベルト
１６ 蓋体
１７ 前面パネル
１８ 直接地スイッチ
１９ 機能選択スイッチ
２０ メガ相選択スイッチ
２１ メガ測定選択スイッチ
２２ 表示ランプ群
２３ 起動ボタン
２４ ブザー
２５ 表示部
２６ メガ接続端子
２７ 把手
２８Ｒ，２８Ｗ，２８Ｂ   端子
２９ 端子
３０ 接点部
３１ チョークコイル
３２〜３４     接点部
３５ メガ測定器
３６ 抵抗
３７ コントロールユニット
３７ａ  リレーコントローラ
３７ｂ  表示コントローラ
３９ 検出抵抗
４０ 限流抵抗
Ａ，Ｂ    検相器
【図１】
0003930711.tif 000003
【図２】
0003930711.tif 000004
【図３】
0003930711.tif 000005
【図４】
0003930711.tif 000006
【図５】
0003930711.tif 000007
【図６】
0003930711.tif 000008
【図７】
0003930711.tif 000009
【図８】
0003930711.tif 000010